(57)【要約】【課題】技術を開放することなく、電子透かし技術を使った電子透かし組込画像の入手や、電子透かし情報の取得が容易になり、技術を知らなくても行える方法を提供することが望まれていた。【解決手段】原画像をネット上で受領する過程と、受領した原画像に電子透かしを組込む処理を行い、電子透かし組込画像を作成する過程と、電子透かし組込画像を用いて印刷を行う過程と、よりなる電子透かし組込画像印刷方法や、解析対象画像の送付をネット上で受領する過程と、受領した解析対象画像の電子透かし情報を解析し、電子透かし情報を取り出す過程と、電子透かし情報を解析依頼者にネット上で送付する過程と、よりなる電子透かし組込画像作成方法等を提供する。【選択図】図１
2004208154.tif 000002
【特許請求の範囲】
【請求項１】
組込依頼者よりデジタル化された原画像の送付をネット上で受領する過程と、受領したデジタル化された原画像に電子透かしを組込む処理を行い、電子透かし組込画像を作成する過程と、
よりなる電子透かし組込画像作成方法。
【請求項２】
組込依頼者よりデジタル化された原画像の送付をネット上で受領する過程と、受領したデジタル化された原画像に電子透かしを組込む処理を行い、電子透かし組込画像を作成する過程と、
電子透かし組込画像を用いて製版データを作成する過程と、
よりなる電子透かし組込画像製版データ作成方法。
【請求項３】
組込依頼者よりデジタル化された原画像の送付をネット上で受領する過程と、受領したデジタル化された原画像に電子透かしを組込む処理を行い、電子透かし組込画像を作成する過程と、
電子透かし組込画像を用いて印刷を行う過程と、
よりなる電子透かし組込画像印刷方法。
【請求項４】
請求項１記載の電子透かし組込画像作成方法において、組込依頼者に電子透かし組込画像をネット上で送付する過程、
を含むことを特徴とする電子透かし組込画像作成方法。
【請求項５】
請求項１または請求項４記載の電子透かし組込画像作成方法において、組込依頼者に費用の請求をネット上で行う過程、
を含むことを特徴とする電子透かし組込画像作成方法。
【請求項６】
請求項２記載の電子透かし組込画像製版データ作成方法において、組込依頼者に電子透かし組込画像をネット上で送付する過程、
を含むことを特徴とする電子透かし組込画像製版データ作成方法。
【請求項７】
請求項２または請求項６記載の電子透かし組込画像製版データ作成方法において、組込依頼者に費用の請求をネット上で行う過程、
を含むことを特徴とする電子透かし組込画像製版データ作成方法。
【請求項８】
請求項３記載の電子透かし組込画像印刷方法において、組込依頼者に電子透かし組込画像をネット上で送付する過程、
を含むことを特徴とする電子透かし組込画像印刷方法。
【請求項９】
請求項３または請求項８記載の電子透かし組込画像印刷方法において、組込依頼者に費用の請求をネット上で行う過程、
を含むことを特徴とする電子透かし組込画像印刷方法。
【請求項１０】
解析依頼者においてデジタル化された解析対象画像の送付をネット上で受領する過程と、
受領したデジタル化された解析対象画像の電子透かし情報を解析し、電子透かし情報を取り出す過程と、
電子透かし情報を解析依頼者にネット上で送付する過程と、
よりなる電子透かし情報提供方法。
【請求項１１】
請求項１０記載の電子透かし情報提供方法において、組込依頼者に費用の請求をネット上で行う過程、
を含むことを特徴とする電子透かし情報提供方法。
【発明の詳細な説明】
【０００１】
【発明の属する技術分野】
本発明は、電子透かし組込画像の作成をする方法と、電子透かし組込画像の製版データを作成する方法と、、電子透かし組込画像画像の印刷を行う方法と、解析画像から電子透かしの有無や電子透かしがある場合のその内容などの電子透かし情報を提供する方法に関する。
【０００２】
【従来の技術】
従来より、電子透かしとしてＤａｔａＨｉｄｉｎｇ（日本ＩＢＭ株式会社）、Ｉｍａｇｅｍａｒｃ（ｄｉｇｉｍａｒｃ社）、Ｇｉｏｖａｎｎｉ（Ｂｌｕｅ  Ｓｐｉｋｅ社）、ＬＵＳＥＮＴ  ＭＡＲＫ（株式会社エム研）、ＳｙｓＣｏｐ（ＭｅｄｉａＳｅｃ社）、電子透かしシステム（ＮＥＣソフトウェア株式会社）、Ｓｔｅｇａｎｏｇｒａｐｈｙ（興和株式会社）などが知られていて、ネット上で通信する画像や、電子媒体内の画像に電子透かしを組込む技術が知られている。
【０００３】
電子透かしの詳細については、公開すればその性質上電子透かしの役割を果たさないために公開しないが、大雑把に説明すれば、人間が知覚できない程度に文字等の電子透かし情報を組込み、画像の質を損なわせない技術であり、加工・改変によっても電子透かし情報が消えないもので、これにより不正な利用者が改変した画像の中にもその情報を残すので、解析により不正を見つけだすことができるものである。
【０００４】
電子透かしの名称が示す通り、最初は電子媒体もしくは通信にて流通する画像を対象とし、その著作権管理や、秘密情報管理を行うものであったが、最近では電子媒体や通信で流通している画像の他、印刷に用いられる画像にもその電子透かし組込み技術が開発されている。
【０００５】
この様な技術として例えば、慶應義塾大学理工学部情報学科の小澤研究室と凸版印刷株式会社の共同研究による電子透かし技術などが開発されている。
【０００６】
なお、従来印刷で電子透かし情報は困難であったので、印刷の場合は電子透かし情報を視覚できる状態で画像と組み合わせることで、画像と電子透かし情報の解析結果である情報を同時に印刷する特許文献１の様な技術も知られている。
【０００７】
【特許文献１】
特願２０００−３１６３３９
【０００８】
【発明が解決しようとする課題】
しかしながら、電子透かし組込技術や電子透かし解析技術はその性質上自由流通はできないものであり、その様な電子透かし組込技術や電子透かし解析技術は秘密保持契約などにより秘密管理を行って供与されている。
【０００９】
しかし、この様な諸手当を行っても、秘密情報管理上画像の所有者すべてに電子透かし組込技術や電子透かし解析技術を技術供与していたのでは電子透かし組込技術や電子透かし解析技術の秘密管理は困難であり、実用上電子透かし組込技術や電子透かし解析技術の利用は限定せざるを得ない場合が少なくなかった。
【００１０】
電子透かし組込技術や電子透かし解析技術を容易に理解得ない様に、電子透かし組込や電子透かし解析の専用ソフトを用いて電子透かし組込技術や電子透かし解析技術を与える方法もあるが、これでも専用ソフトの解析により電子透かし組込技術や電子透かし解析技術が流出するおそれがあった。
【００１１】
本発明は、上述した問題に鑑みてなされたもので、その目的とするところは、電子透かし組込技術や電子透かし解析技術を広く利用者に開放することなく、電子透かし組込技術や電子透かし解析技術を使った電子透かし組込画像の入手や、電子透かし情報の取得が容易になり、広く電子透かし組込技術や電子透かし解析技術の利用が、電子透かし組込技術や電子透かし解析技術を知らなくても行える様になったものであり、これにより多くの利用者にとり電子透かしの組込や情報取得が容易になる方法を提供することにある。
【００１２】
【課題を解決するための手段】
上述した問題を解決するために、請求項１に記載の発明にあっては、組込依頼者よりデジタル化された原画像の送付をネット上で受領する過程と、
受領したデジタル化された原画像に電子透かしを組込む処理を行い、電子透かし組込画像を作成する過程と、
よりなる電子透かし組込画像作成方法を提供するものである。
【００１３】
請求項２に記載の発明にあっては、組込依頼者よりデジタル化された原画像の送付をネット上で受領する過程と、
受領したデジタル化された原画像に電子透かしを組込む処理を行い、電子透かし組込画像を作成する過程と、
電子透かし組込画像を用いて製版データを作成する過程と、
よりなる電子透かし組込画像製版データ作成方法を提供するものである。
【００１４】
請求項３に記載の発明にあっては、組込依頼者よりデジタル化された原画像の送付をネット上で受領する過程と、
受領したデジタル化された原画像に電子透かしを組込む処理を行い、電子透かし組込画像を作成する過程と、
電子透かし組込画像を用いて印刷を行う過程と、
よりなる電子透かし組込画像印刷方法を提供するものである。
【００１５】
請求項４に記載の発明にあっては、請求項１記載の電子透かし組込画像作成方法において、組込依頼者に電子透かし組込画像をネット上で送付する過程、
を含むことを特徴とする電子透かし組込画像作成方法を提供するものである。
【００１６】
請求項５に記載の発明にあっては、請求項１または請求項４記載の電子透かし組込画像作成方法において、組込依頼者に費用の請求をネット上で行う過程、
を含むことを特徴とする電子透かし組込画像作成方法を提供するものである。
【００１７】
請求項６に記載の発明にあっては、請求項２記載の電子透かし組込画像製版データ作成方法において、組込依頼者に電子透かし組込画像をネット上で送付する過程、
を含むことを特徴とする電子透かし組込画像製版データ作成方法を提供するものである。
【００１８】
請求項７に記載の発明にあっては、請求項２または請求項６記載の電子透かし組込画像製版データ作成方法において、組込依頼者に費用の請求をネット上で行う過程、
を含むことを特徴とする電子透かし組込画像製版データ作成方法を提供するものである。
【００１９】
請求項８に記載の発明にあっては、請求項３記載の電子透かし組込画像印刷方法において、組込依頼者に電子透かし組込画像をネット上で送付する過程、
を含むことを特徴とする電子透かし組込画像印刷方法を提供するものである。
【００２０】
請求項９に記載の発明にあっては、請求項３または請求項８記載の電子透かし組込画像印刷方法において、組込依頼者に費用の請求をネット上で行う過程、
を含むことを特徴とする電子透かし組込画像印刷方法を提供するものである。
【００２１】
請求項１０に記載の発明にあっては、解析依頼者においてデジタル化された解析対象画像の送付をネット上で受領する過程と、
受領したデジタル化された解析対象画像の電子透かし情報を解析し、電子透かし情報を取り出す過程と、
電子透かし情報を解析依頼者にネット上で送付する過程と、
よりなる電子透かし情報提供方法を提供するものである。
【００２２】
請求項１１に記載の発明にあっては、請求項１０記載の電子透かし情報提供方法において、組込依頼者に費用の請求をネット上で行う過程、
を含むことを特徴とする電子透かし情報提供方法を提供するものである。
【００２３】
なお、電子透かし組込画像作成方法で作成された画像については、このまま組込依頼者にネット上で送るものでも良いが、情報量の関係上ＣＤやＤＶＤ等で別途送付するものでも良く、秘密保持の必要上組込依頼者に送付されることがなく、第三の編集社、製版会社や印刷会社等に送付されるものであっても構わない。
【００２４】
同様に電子透かし組込画像製版データ作成方法で作成された製版データについては、このまま組込依頼者にネット上で送るものでも良いが、情報量の関係上ＭＴ等で別途送付するものでも良く、秘密保持の必要上組込依頼者に送付されることがなく、製版会社や印刷会社等に送付されるものであっても構わない。
【００２５】
なお、デジタル化された原画像は、今回組込を行おうとする電子透かしが組み込まれる前の画像であるが、既に他の電子透かし情報が組み込まれているか否かは問わない。また、デジタル化された原画像は、元々デジタル化された画像であっても、組込依頼者によりスキャナーなどの画像デジタル化機器によりデジタル化された画像であっても構わない。
【００２６】
ネット上での送付は、インターネットの各機能を用いるものの他、各種ＢＢＳなどを使用することができ、インターネットを利用する場合は、直接電子メールによる送付に限らず、ＷＥＢサイト内の自動送信機能による電子メール機能や、その他送信機能を用いるものであっても構わない。
【００２７】
また、費用は組込や解析費用に限らず、製版費用や印刷費用を含むものであっても構わない。
【００２８】
さらに、解析内容は、解析対象画像の電子透かしの組込の有無に関する電子透かし情報だけでもよいがこれに限られず、もし電子透かしにより組込まれた情報である文字情報等がある場合は、その組込まれた情報を含むものであってもよいが、逆にこれらの情報のうち電子透かし組込技術や電子透かし解析技術を含まないで、これらを解析依頼者に秘密にしたままにして、電子透かし情報から除いても構わない。
【００２９】
請求項１に記載の発明によれば、組込依頼者に技術そのものでも、専用ソフトという形でもなく電子透かし組込技術を利用させることが可能になった、従って、組込依頼者に電子透かし組込技術を知られることがなく電子透かし組込画像の作成や製版データ作成や印刷が可能になった。
【００３０】
請求項４、６、８に記載の発明によれば、印刷とともにデジタルデータとしても電子透かし組込画像を得ることができ、二次使用等の多くの利用が見込める他、電子透かし組込による画像劣化の程度も確認することが可能になった。
【００３１】
請求項５、７、９に記載の発明によれば、安定的運営が可能になるとともに、組込依頼者にとっても即時の費用把握が可能になった。
【００３２】
請求項１０に記載の発明によれば、解析依頼者に技術そのものでも、専用ソフトという形でもなく電子透かし解析技術を利用させることが可能になった、従って、解析依頼者に電子透かし解析技術を知られることがなく電子透かし組込画像の解析が可能になった。従って、電子透かし組込画像の真贋等の判別、著作権者等の把握が可能になった。
【００３３】
請求項１１に記載の発明によれば、安定的運営が可能になるとともに、解析依頼者にとっても即時の費用把握が可能になった。
【００３４】
【発明の実施の形態】
まず、本発明の実施形態の説明をする前に、本発明の位置付けを説明する。画像とは、線画、絵画、写真、漫画などどの様なものでも良く、電子透かしの組込が可能なものであれば構わない。また、デジタル画像とは、ネットで送信することが可能な画像で、階調等が完全に連続調でない、例えば２５６階調の様なものを指す。従って、画像はカラー、白黒も問わない。
【００３５】
また、ネットは、インターネット等のデジタル画像を伝送する双方向性のある通信手段を指す。
【００３６】
また、利用者は組込依頼者であっても解析依頼者であっても良いが、それが各々別人であっても、同一人物であっても、その利用形態により適宜選択されるものである。
【００３７】
以下、本発明における一実施形態の全体構成について図面を参照して説明する。図３は、本実施形態の構成を示す接続図である。
【００３８】
この図において、符号１０はサーバであり、経路制御装置、電話回線や光通信回線、その他の通信回線を経由してインターネットＮＥＴに接続されている。
【００３９】
符号１０１、１０２、…は各種の端末であり、サーバ１０と同様にしてインターネットＮＥＴに接続される。
【００４０】
ここで、端末１０１、１０２、…は、それぞれＣＲＴやＬＣＤ等の表示部とともに、キーボード、マウス等の入力部を有する。必要に応じてスキャナー１１０が接続されている。
【００４１】
次に、サーバ１０の詳細構成について説明する。図２は、サーバ１０の構成を示すブロック図である。
【００４２】
この図において、符号１１は制御手段であり、ＣＰＵ等から構成され、各部の制御や、データの転送、種々の演算、データの一時的な格納等を行なう。
【００４３】
符号１２は入力制御手段であり、インターネットＮＥＴを介して接続された端末から入力されるデータを制御する。符号１３は出力制御手段であり、端末に出力されるデータを制御する。
【００４４】
符号１４〜１７はいずれも記憶手段であり、それぞれ以下のファイルが格納、記憶されている。
【００４５】
まず、記憶手段１４には、メインプログラムが記憶されている。
【００４６】
かかるメインプログラムは、制御手段１１において用いられるものであり、例えば、各ページの画面を表示させるプログラムや、メールの受配信を行うプログラム、データの送信や受信を認識するプログラム、課金計算プログラム、その他全体制御等のプログラム等から構成される。
【００４７】
他に、この記憶手段１４には、端末１０１、１０２、…から送信されてきた画像等や、送信直前の画像等が一時的に格納される。
【００４８】
次に、記憶手段１５には、電子透かし組込プログラムが記憶されている。
【００４９】
組込まれる電子透かし情報としては、著作権表示、シリアルナンバー、その他組込むべき各種の情報から適宜組合せもしくは選択して決定される。
【００５０】
この場合、この電子透かし情報には、組込依頼者から依頼された情報のみではなく、本システム運営、電子透かしの秘密管理情報を加えて組込んだものでも構わない。
【００５１】
その詳細は秘密管理のために省略するが、大まかには慶應義塾大学理工学部情報学科の小澤研究室と凸版印刷株式会社の共同研究による電子透かし技術にほぼ準拠した電子透かし組込プログラムとなっている。
【００５２】
記憶手段１６には、電子透かし解析プログラムが記憶されている。
【００５３】
かかる電子透かし解析プログラムは、特定な電子透かしを解析するものであっても良いが、複数の電子透かしから自動的に組み込まれている電子透かしを判別する機能を持ち、判別後判別された電子透かしを解析するものであっても良い。
【００５４】
解析される電子透かし情報としては、組込まれた電子透かし情報ということになり、著作権表示、シリアルナンバー、その他組込むべき各種の情報や、これらから組合されたものである。
【００５５】
この場合、この電子透かし情報には、組込依頼者から依頼された情報のみではなく、本システム運営、電子透かしの秘密管理情報を加えて組込んだものである場合があり、この場合はこれらの電子透かしの秘密管理情報は、解析依頼者に送付される電子透かし情報から除かれる。
【００５６】
その詳細は秘密管理のために省略するが、大まかには慶應義塾大学理工学部情報学科の小澤研究室と凸版印刷株式会社の共同研究による電子透かし技術にほぼ準拠した電子透かし組込プログラムと対応する電子透かし解析プログラムなっている。
【００５７】
そして、記憶手段１７には、ＩＤファイルが記憶されている。かかる顧客ファイルは、組込依頼者、解析依頼者、その他システム管理者等のＩＤと、そのＩＤに関するパスワード、および接続権限、例えば組込依頼者、解析依頼者の別、両権原を有する情報、課金情報などの情報から構成される。
【００５８】
次に、本実施形態の動作について説明する。
【００５９】
まずネットの構成は、例えば図３に図示したようなもので、ここで、端末１０１、１０２、…は、それぞれサーバ１０と接続されて通信を行ない、いずれも組込依頼者の端末としても、解析依頼者の端末としても機能するが、説明便宜上、サーバ１０には端末１０１が接続されたとして、以下説明を行なう。
【００６０】
サーバ１０の構成の一例を示せば、図２で示す様なイメージであり、この例を用いて以下説明する。
【００６１】
サーバ１０に端末１０１が接続されると、制御手段１１は、この接続を入力制御手段１２を介して検知し、メインプログラムにしたがって端末１０１を制御する。図１は、かかるメインプログラムの動作を示すフローチャートである。
【００６２】
まず、組込依頼者と解析依頼者は同一人物の依頼者であるとする。
【００６３】
まず、図１に示したステップ２０２においてアクセス要求２０１を行うと、ステップ２０２において、制御手段１１は、端末１０１の表示部に対し、図４に示すような画面を表示させ、端末操作者に対して、本実施形態の処理である「ＩＤ」３０１、「パスワード」３０２の入力を促す。
【００６４】
その入力とともに、「組込印刷」３０３、「画像解析」３０４、および「終了」３０５の中から所望する処理を選択するように促す。
【００６５】
ここでは、端末操作者は、ＩＤとパスワードを入力後、クリック操作を行なって「組込印刷」３０３の処理を選択したものとする。
【００６６】
すると、これを検知した制御手段１１は、手順を図４に示したステップ２０３に進ませて、ＩＤファイル１７とアクセスし、その端末操作者の入力したＩＤが存在するものなのか、およびそのＩＤと関連付けられているパスワードと同一のパスワードが入力されているものなのかを判断する。
【００６７】
もし存在していない、もしくは一致しない場合はステップ２０４に進み、パスワードが正しくない旨を表示した上で、クリック等の手段によりもとのホームページ２０２に戻る様になっている。
【００６８】
なお、必要に応じてパスワード変更の仕組みや、一致していない場合において連続して一致していない場合が所定回数に達した場合にそのＩＤ自体を無効にする等の手段を設けることも可能である。
【００６９】
また、イントラネット等でパスワード等の確認の必要がない場合にはこの様な認証の仕組みを省略することも可能である。
【００７０】
ここでＩＤとパスワードがＩＤファイル１７内に記憶しているものと一致している場合には、次のステップ２０５において、制御手段１１は、端末１０１の表示部に対し、図５に示すようなページ画面を表示させ、端末操作者に対して、「組込情報」４０１、印刷情報として画像を印刷する印刷物を特定する「刷名」４０２、印刷物のなかのどの部分の画像かを指定する「画像番号」４０３、その他の入力を促す。
【００７１】
その入力とともに、「送信メール」４１０、「中止」４１１の中から所望する処理をクリックする事により選択するように促す。
【００７２】
もし「中止」４１１がクリックされたら、このページで入力された内容は消去された上でステップ２０２に戻る。
【００７３】
他方、「送信メール」４１０がクリックされたら、このページで入力された内容は、図６に示した様な作成中の送信メール２０６の内容として組み込まれ、さらに画像をこのメールの「添付」４２１を押すことにより、原画像のファイル保存先を指定できる様になり、ここで「確認」を押すことにより送信メールが完成する。
【００７４】
完成した送信メールの「送信」４２２を押すことにより、実際のメールが送付され、制御手段１１に伝送され自動的に電子透かし組込プログラム１５が起動し、添付した画像に電子透かし組込が行われる。
【００７５】
この様に画像に電子透かし組込が行われると、電子透かし組込画像は印刷工程に送付されるとともに、図７に示す様に、ページ２０７にて電子透かし組込画像４３１を表示するとともに、請求額４３２を表示する。
【００７６】
表示後、クリック等によりステップ２０２に戻る。
【００７７】
ＷＥＢ上での処理は以上の通りであるが、他方印刷の方は、自動的に送付され、製版工程に渡される、そこで印刷情報に示す位置に電子透かし情報組込画像を組込んで製版し、印刷処理を行い、最終的に納品される。
【００７８】
他方、容器包装体販売者用メインメニューにおいて端末操作者が、本実施形態の処理である「ＩＤ」３０１、「パスワード」３０２の入力を行うとともに、「画像解析」３０４の処理を選択する場合を説明する。
【００７９】
すると、これを検知した制御手段１１は、手順をステップ２０８に進ませて、ＩＤファイル１７とアクセスし、その端末操作者の入力したＩＤが存在するものなのか、およびそのＩＤと関連付けられているパスワードと同一のパスワードが入力されているものなのかを判断する。
【００８０】
もし存在していない、もしくは一致しない場合はステップ２０４に進み、パスワードが正しくない旨を表示した上で、クリック等の手段によりもとのホームページ２０２に戻る様になっている。
【００８１】
なお、必要に応じてパスワード変更の仕組みや、一致していない場合において連続して一致していない場合が所定回数に達した場合にそのＩＤ自体を無効にする等の手段を設けることも可能である。
【００８２】
ここでＩＤとパスワードがＩＤファイル１７内に記憶しているものと一致している場合には、次のステップ２０９において、制御手段１１は、端末１０１の表示部に対し、図８に示すようなページ画面を表示させ、「送信メール」５０１、「中止」５０２の中から所望する処理をクリックする事により選択するように促す。
【００８３】
もし「中止」５０２がクリックされたら、このページで入力された内容は消去された上でステップ２０２に戻る。
【００８４】
他方、「送信メール」５０１がクリックされたら、このページで入力された内容は、図９に示した様な作成中の送信メールの内容として組み込まれ、さらに画像をこのメールの「添付」５２１を押すことにより、原画像のファイル保存先を指定できる様になり、ここで「確認」を押すことにより送信メールが完成する。
【００８５】
この画像は、既に保存している画像を用いるものの他、解析依頼者によってスキャナー、電子カメラ等の画像機器を操作し、直接メールに張り付けるものであっても構わない。
【００８６】
完成した送信メールの「送信」５２２を押すことにより、実際のメールが送付され、制御手段１１に伝送され自動的に電子透かし解析プログラム１８が起動し、添付した画像に電子透かしの有無の判断と、有る場合のその内容の復元が行われる。
【００８７】
この様に画像に電子透かし解析が行われると、図１０に示す様に、ページ２１１にて電子透かしの有無５２３を表示するとともに、電子透かしの復元内容５２４を表示するとともに、請求額５２５を表示する。
【００８８】
表示後、クリック等によりステップ２０２に戻る。
【００８９】
なお、この場合の画像送付は電子メールを用いて行う場合で説明したが、ブラウザの機能もしくはその機能に付加機能を付け加えて画像送付をＷＥＢページの処理として行うものであっても構わない。
【００９０】
なお、上述した実施形態にあっては、サーバ１０と、端末１０１、１０２、…とがインターネットＮＥＴを介して接続された構成としたが、本願においては、両者の接続形態については問われない。
【００９１】
この場合において、秘密性を高めるためにセキュリティの甘いインターネットを通信手段として使うものではなく、イントラネット等の秘密性の高い通信手段により本発明の方法やシステムを構成するものであっても構わない。
【００９２】
従って、この場合は社内システムもしくはそれに準ずるクローズドシステムとなり、多くの範囲からの応募は望めない反面、秘密保持は容易であり、それは用途により適宜選択すれば良い。
【００９３】
また、実施形態にあっては、サーバ１０と接続される端末を端末１０１としたが、端末１０１以外であっても良い。
【００９４】
最後に、この様な製造方法およびシステムにつき物流および情報の流れの視点で説明を加えてきたが、課金についても、発注により課金が同時に生じるものであるが、さらにサーバ１０により課金制御を自動的に行い、印刷等の製造委託や後工程の委託、配送委託等に対する請求処理をも含めて同時課金処理を行うものであっても良い。
【００９５】
この場合、課金処理はインターネット等の決済処理システムと連結させ、自動的に請求処理を行うものであっても構わないものである。
【００９６】
また、同様に課金処理システムと各工程が連動し、サーバ１０により売上管理が自動的に管理し、稼働状況、受注状況、発注状況、決済状況を管理把握できるものであっても構わないものである。
【００９７】
なお、上述した実施形態にあっては、サーバ１０と、端末１０１、１０２、…とがインターネットＮＥＴを介して接続された構成としたが、本願においては、両者の接続形態については問われない。また、実施形態にあっては、サーバ１０と接続される端末を端末１０１としたが、端末１０１以外であっても良い。また、実施形態にあっては、組込依頼者の端末と解析依頼者の端末とが同一の端末１０１としたが、いずれの端末も両者になり得る。
【００９８】
さらに、本願発明における印刷物としては、壁紙、雑誌、単行本、パンフレット、チラシ、包装材などの各種印刷物に適用できるものである。
【００９９】
この場合の製造は、印刷工程のみならず、成形、断裁、シール等の各種製造工程を含むのみならず、既述の各種前工程、後工程を含むものであっても構わない。
【０１００】
さらに、今まで組込依頼者が印刷を行うところまで依頼する場合で説明してきたが、単に電子透かし組込画像を作成する場合や、電子透かし組込画像製版データを作成する場合にも応用可能であり、また同一システムで電子透かし組込画像の作成と製版データ作成、組込印刷の複数のうちから選択可能にする様な実施の形態とすることも可能である。
【０１０１】
この場合は、上述の例ではステップ２０２において「組込印刷」３０３の選択ボタンに代え「組込作成」６０１の選択ボタンとする図１１の様な構成や、「組込印刷」３０３の選択ボタンに代え「組込製版」６０２のの選択ボタンとする図１２の様な構成や、選択肢を図１３の様にさらに増やして「組込作成」６０１、「組込製版」６０２の選択肢を与えることも可能である。
【０１０２】
当然この場合ステップ２０２の内容のみを変更するのではなく、ステップ２０２において表示した選択の様に、出来たデータをステップ２０７において送付、ダウンロード等や、ステップ２０７に代えて組込作成や組込製版を自動的に実施、もしくはダウンロード可能にすることによる処理を行うこととなる。
【０１０３】
さらに、画像解析のみしか権原を与えることができない利用者に対しては、当初から「画像解析」３０４しか実質的に選択できない様なホームページのアドレスのみを連絡し、図４の様なそれのみのステップ２０２とすることも可能である。
【０１０４】
【発明の効果】
以上説明したように、本発明によれば、電子透かし組込技術や電子透かし解析技術を広く利用者に開放することなく、電子透かし組込技術や電子透かし解析技術を使った電子透かし組込画像の入手や、電子透かし情報の取得が容易になり、広く電子透かし組込技術や電子透かし解析技術の利用が、電子透かし組込技術や電子透かし解析技術を知らなくても行える様になったものであり、これにより多くの利用者にとり電子透かしの組込や情報取得が容易になる方法を提供することことが可能となる。
【図面の簡単な説明】
【図１】本発明における実施形態のフローチャートである。
【図２】本発明における実施形態の構成を示すブロック図である。
【図３】同実施形態におけるネットの構成を示すブロック図である。
【図４】同実施形態における電子透かしの組込印刷と解析に係るホームページ画面の構成を説明するための図である。
【図５】同実施形態における組込情報等提供に係るホームページ画面の構成を説明するための図である。
【図６】同実施形態における原画像等送信に係る電子メール送信画面の構成を説明するための図である。
【図７】同実施形態における電子透かし組込画像等の提供に係る画面の構成を説明するための図である。
【図８】同実施形態における組込情報等提供に係るホームページ画面の構成を説明するための図である。
【図９】同実施形態における解析対象画像等送信に係る電子メール送信画面の構成を説明するための図である。
【図１０】同実施形態における解析結果等の提供に係る画面の構成を説明するための図である。
【図１１】同実施形態とは別な実施形態における電子透かしの組込作成と画像解析に係るホームページ画面の構成を説明するための図である。
【図１２】同実施形態とは別な実施形態における電子透かしの組込製版と画像解析に係るホームページ画面の構成を説明するための図である。
【図１３】同実施形態とは別な実施形態における電子透かしの組込作成と組込製版と組込印刷と画像解析に係るホームページ画面の構成を説明するための図である。
【図１４】同実施形態とは別な実施形態における画像解析に係るホームページ画面の構成を説明するための図である。
【符号の説明】
１０……サーバ
１１……制御手段
１２……入力制御手段
１３……出力制御手段
１４〜１７……記憶手段
１０１、１０２、１０３、１０４、……端末
１１０……スキャナー
２０１〜２１１……ステップ
３０１、３０２、４０１〜４０３……ウインド
３０３〜３０５、４１０、４１１、４２１、４２２、５０１、５０２、５２１、５２２、６０１、６０２……ボタン
４３１……電子透かし組込画像表示
４３２、５２３〜５２５……表示
【図１】
2004208154.tif 000003
【図２】
2004208154.tif 000004
【図３】
2004208154.tif 000005
【図４】
2004208154.tif 000006
【図５】
2004208154.tif 000007
【図６】
2004208154.tif 000008
【図７】
2004208154.tif 000009
【図８】
2004208154.tif 000010
【図９】
2004208154.tif 000011
【図１０】
2004208154.tif 000012
【図１１】
2004208154.tif 000013
【図１２】
2004208154.tif 000014
【図１３】
2004208154.tif 000015
【図１４】
2004208154.tif 000016